【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
ベクターデータを取得して出力するベクターデータ変換出力装置であって、
当該ベクターデータを取得するベクターデータ取得部と、
当該ベクターデータにおける線分データを抽出し、各線分データ同士の接続関係を探索する接続探索部と、
当該接続探索が行われた線分データの組合わせが閉空間を形成するかどうかを判定する閉空間判定制御部と、
閉空間を形成したデータに基づいてベクターデータを出力するベクターデータ出力部と、
ベクターデータを構成する複数の画像要素毎に、移動、回転、変形の少なくともいずれか１つの制御をする動画制御部と、
を含むことを特徴とするベクターデータ変換出力装置。
【請求項２】
前記閉空間判定制御部は、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする、請求項１に記載のベクターデータ変換出力装置。
【請求項３】
前記閉空間判定制御部が複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする、請求項２に記載のベクターデータ変換出力装置。
【請求項４】
ベクターデータを取得して出力するベクターデータ変換出力方法であって、
当該ベクターデータを取得するベクターデータ取得ステップと、
当該ベクターデータにおける線分データを抽出し、各線分データ同士の接続関係を探索する接続探索ステップと、
当該接続探索が行われた線分データの組合わせが閉空間を形成するかどうかを判定する閉空間判定制御ステップと、
閉空間を形成したデータに基づいてベクターデータを出力するベクターデータ出力ステップと、
ベクターデータを構成する複数の画像要素毎に、移動、回転、変形の少なくともいずれか１つの制御をする動画制御ステップと、
を含むことを特徴とするベクターデータ変換出力方法。
【請求項５】
前記閉空間判定制御ステップにおいて、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする、請求項４に記載のベクターデータ変換出力方法。
【請求項６】
前記閉空間判定制御ステップにおいて、複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする、請求項５に記載のベクターデータ変換出力方法。
【請求項７】
ベクターデータを取得して出力するコンピュータに、
当該ベクターデータを取得する手順と、
当該ベクターデータにおける線分データを抽出し、各線分データ同士の接続関係を探索する手順と、
接続探索が行われた線分データの組合わせが閉空間を形成するかどうかを判定する閉空間判定手順と、
閉空間を形成したデータに基づいてベクターデータを出力する手順と、
ベクターデータを構成する複数の画像要素毎に、移動、回転、変形の少なくともいずれか１つの制御をする動画制御手順と、
を実行させるためのベクターデータ変換出力プログラム。
【請求項８】
前記閉空間判定手順において、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする、請求項７に記載のベクターデータ変換出力プログラム。
【請求項９】
前記閉空間判定手順において、複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする、請求項８に記載のベクターデータ変換出力プログラム。
【手続補正２】
【補正対象書類名】明細書
【補正対象項目名】０００６
【補正方法】変更
【補正の内容】
【０００６】
上記課題を解決するために本発明にかかるベクターデータ変換出力装置は、ベクターデータを取得して出力するベクターデータ変換出力装置であって、当該ベクターデータを取得するベクターデータ取得部と、当該ベクターデータにおける線分データを抽出し、各線分データ同士の接続関係を探索する接続探索部と、当該接続探索が行われた線分データの組合わせが閉空間を形成するかどうかを判定する閉空間判定制御部と、閉空間を形成したデータに基づいてベクターデータを出力するベクターデータ出力部と、ベクターデータを構成する複数の画像要素毎に、移動、回転、変形の少なくともいずれか１つの制御をする動画制御部と、を含むことを特徴とする。
また本発明にかかるベクターデータ変換出力装置は、前記閉空間判定制御部が、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする。
また本発明にかかるベクターデータ変換出力装置は、前記閉空間判定制御部が複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする。
【手続補正３】
【補正対象書類名】明細書
【補正対象項目名】０００７
【補正方法】変更
【補正の内容】
【０００７】
また本発明に係るベクターデータ変換出力方法は、ベクターデータを取得して出力する前記ベクターデータ変換出力方法であって、
当該ベクターデータを取得するベクターデータ取得ステップと、
当該ベクターデータにおける線分データを抽出し、各線分データ同士の接続関係を探索する接続探索ステップと、
当該接続探索が行われた線分データの組合わせが閉空間を形成するかどうかを判定する閉空間判定制御ステップと、
閉空間を形成したデータに基づいてベクターデータを出力するベクターデータ出力ステップと、
ベクターデータを構成する複数の画像要素毎に、移動、回転、変形の少なくともいずれか１つの制御をする動画制御ステップと、
を含むことを特徴とする。
また本発明に係るベクターデータ変換出力方法は、前記閉空間判定制御ステップにおいて、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする。
また本発明に係るベクターデータ変換出力方法は、前記閉空間判定制御ステップにおいて、複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする。
【手続補正４】
【補正対象書類名】明細書
【補正対象項目名】０００８
【補正方法】変更
【補正の内容】
【０００８】
また本発明に係るベクターデータ変換出力プログラムは、ベクターデータを取得して出力するコンピュータに、当該ベクターデータを取得する手順と、当該ベクターデータにおける線分データを抽出し、各線分データ同士の接続関係を探索する手順と、接続探索が行われた線分データの組合わせが閉空間を形成するかどうかを判定する手順と、閉空間を形成したデータに基づいてベクターデータを出力する手順と、ベクターデータを構成する複数の画像要素毎に、移動、回転、変形の少なくともいずれか１つの制御をする動画制御手順と、を実行させることを特徴とする。
また本発明に係るベクターデータ変換出力プログラムは、前記閉空間判定手順において、前記複数の線分データの組み合わせが閉空間を形成する場合に、前記複数の線分データ及び前記複数の線分データに係るフィルスタイルを、該閉空間を形成する線分データ及び該閉空間のフィルスタイルとして確定することを特徴とする。
また本発明に係るベクターデータ変換出力プログラムは、前記閉空間判定手順において、複数の閉空間が形成すると判定した場合であって、前記複数の閉空間が重なりあい、かつ前記複数の閉空間のそれぞれのフィルスタイル が同一である場合、前記複数の閉空間の重なり合う部分のフィルスタイルを、排他的論理和により合成して出力することを特徴とする。